(57)【要約】【課題】振動を受けてもその部品が係合解除することを防止し、設計が単純であり、道具を必要としないコネクタシステムを提供すること。【解決手段】コネクタ部品のための連結部材は、シェルを囲むように構成された内側スリーブを有し、スリーブは、シェルに対して締結方向に回転可能であり、結合するコネクタ部品と係合し、また、締結方向とは反対の解放方向に回転可能である。内側スリーブは、接触部分及び係合部材を有する。バネ部材は、内側スリーブに隣接するシェルに巻き付けられている。内側スリーブをシェルに対して締結方向に回転させると、内側スリーブは、バネ部材の第１タブを押圧し、これにより、シェル回りでバネ部材を弛緩させ、内側スリーブが締結方向で回転することを可能とし、結合するコネクタ部品及びバネ部材の第１タブ端部を係合させる。第１タブ端部は、内側スリーブが解放方向に回転することを防止する。【選択図】図１
2014199136.tif 000002
【特許請求の範囲】
【請求項１】
コネクタ部品のための連結部材であって、
シェルの接触端部近傍または前記接触端部において前記シェルを囲むように構成された内側スリーブであって、当該内側スリーブが、前記シェルに対して締結方向に回転可能であり、結合するコネクタ部品と結合し、また、前記締結方向とは反対の解放方向に回転可能であり、当該内側スリーブが、その内面に前記結合するコネクタ部品と結合するように構成された接触部分を有し、当該内側スリーブが、係合部材を有する、内側スリーブと、
前記内側スリーブに隣接する前記シェルに巻き付けられたバネ部材であって、当該バネ部材が、前記内側スリーブの前記係合部材に係合する少なくとも１つの第１タブ端部を有する、バネ部材と、
前記内側スリーブを前記シェルに対して前記締結方向に回転させると、前記内側スリーブが、前記バネ部材の前記第１タブを押圧し、これにより、前記シェル回りで前記バネ部材を弛緩させ、前記内側スリーブが前記締結方向で回転することを可能とし、前記結合するコネクタ部品及び前記バネ部材の前記第１タブ端部を係合させ、前記内側スリーブが前記解放方向に回転することを防止することを特徴とする連結部材。
【請求項２】
前記内側スリーブの前記係合部材が、ノッチであり、
前記バネ部材の前記第１タブ端部が、前記ノッチ内に受けられることを特徴とする請求項１に記載の連結部材。
【請求項３】
前記バネ部材が、トーションバネであることを特徴とする請求項２に記載の連結部材。
【請求項４】
前記内側スリーブ及び前記バネ部材を囲む外側スリーブをさらに備え、
前記外側スリーブが、前記バネ部材の第２タブ端部に係合することを特徴とする請求項１に記載の連結部材。
【請求項５】
前記バネ部材の前記第２タブ端部が、前記外側スリーブの内側肩部に当接することを特徴とする請求項４に記載の連結部材。
【請求項６】
前記内側及び外側スリーブが、互いに連結されていることを特徴とする請求項４に記載の連結部材。
【請求項７】
前記内側スリーブが、前記バネ部材にわたって延在し、前記外側スリーブのキースロットに係合するキーを有することを特徴とする請求項６に記載の連結部材。
【請求項８】
前記内側スリーブの前記接触部分が、ネジ山を有することを特徴とする請求項１に記載の連結部材。
【請求項９】
コネクタ部品であって、
結合するコネクタ部品に係合するための接触端部を有するシェルと、
前記シェルの前記接触端部近傍においてまたは前記接触端部において前記シェルに支持される連結部材であって、前記接触端部が、結合するコネクタ部品と結合するように構成されており、当該連結部材が、前記シェルに対して締結方向に回転可能であり、当該コネクタ部品を前記結合するコネクタ部品と結合し、当該連結部材が、前記締結方向とは反対の解放方向に回転可能である、連結部材と、
を備え、
前記連結部材が、
前記シェルを囲み、前記シェルに回転式に連結された内側スリーブであって、当該内側スリーブが、接触部分と係合部材とを有する、内側スリーブと、
前記内側スリーブに隣接して前記シェルに巻き付けられたバネ部材であって、当該バネ部材が、第１タブ端部及び第２タブ端部を有する、バネ部材と、
前記内側スリーブ及び前記バネ部材を囲む外側スリーブと、
を有し、
当該連結部材を前記シェルに対して前記締結方向に回転させると、前記内側スリーブの前記係合部材が、前記バネ部材の前記第１タブに係合し、これにより、前記バネ部材を前記シェル回りで弛緩させ、前記内側スリーブが前記締結方向に回転することを可能とし、前記接触部分を前記結合するコネクタ部品と係合させ、前記第１タブ端部が、前記内側スリーブが前記解放方向に回転することを防止し、
前記外側スリーブを前記シェルに対して前記解放方向に回転させると、前記外側スリーブが、前記バネ部材の前記第２タブ端部に係合し、前記バネ部材を弛緩させ、これにより、前記内側スリーブが前記解放方向に回転することを可能とし、前記接触部分を前記結合するコネクタ部品から係合解除することを特徴とするコネクタ部品。
【請求項１０】
前記内側スリーブの前記係合部材が、ノッチであり、
前記バネ部材の前記第１タブ端部が、前記内側スリーブにある前記ノッチ内に受けられることを特徴とする請求項９に記載のコネクタ部品。
【請求項１１】
前記バネ部材が、トーションバネであることを特徴とする請求項１０に記載のコネクタ部品。
【請求項１２】
前記内側及び外側スリーブが、互いに連結されることを特徴とする請求項９に記載のコネクタ部品。
【請求項１３】
前記内側スリーブが、前記バネ部材にわたって延在し、前記外側スリーブのキースロットに係合するキーを有することを特徴とする請求項１２に記載のコネクタ部品。
【請求項１４】
前記バネ部材の前記第２タブ端部が、前記外側スリーブの内側肩部に当接することを特徴とする請求項９に記載のコネクタ部品。
【請求項１５】
前記内側スリーブの前記接触部分が、ネジ山を有することを特徴とする請求項９に記載のコネクタ部品。
【発明の詳細な説明】
【技術分野】
【０００１】
本願は、２０１３年３月１３日に出願した米国仮特許出願第６１／７７９，４４７号の優先権を主張する。
【０００２】
本発明は、コネクタ部品のための抗係合解除部材に関する。特に、本発明は、回転可能な内側及び外側スリーブと、振動を受けてもコネクタ部品間の係合を維持するためのバネ部材と、を有する。
【背景技術】
【０００３】
従来のコネクタシステムは、プラグ部品及びソケット(receptacle)部品からなる。ソケットは、通常、ネジ山付外側前方部分を有し、プラグは、通常、ソケットのネジ山と係合するリングを有する。プラグ及びソケット部品を機械的に結合するため、プラグをソケット内に挿入し、リングをソケットに螺合してネジ山サイズにつき適切なトルクをかける。
【発明の概要】
【発明が解決しようとする課題】
【０００４】
結合したコネクタ部品を電気機器のシャーシに組み込み、機器が振動を発生させると、これら振動は、しばしば、結合したコネクタ部品に転送される。振動を受けると、プラグのネジ山付リングは、ソケットから弛緩するまたは後退する。リングが後退すると、プラグは、ソケットから係合解除する。振動を受けたときにプラグ部品がソケット部品から後退する問題を解決する試みは、複雑であり、追加の道具を必要とする。したがって、振動を受けてもその部品が係合解除することを防止し、設計が単純であり、道具を必要としないコネクタシステムに対する必要性が存在する。
【課題を解決するための手段】
【０００５】
したがって、本発明は、コネクタ部品のための連結部材を提供し、この連結部材は、シェルの接触端部近傍または接触端部においてシェルを囲むように構成された内側スリーブを備える。内側スリーブは、シェルに対して締結方向に回転可能であり、結合するコネクタ部品と結合し、また、締結方向とは反対の解放方向に回転可能である。内側スリーブは、その内面に結合するコネクタ部品と結合するように構成された接触部分を有し、係合部材を有する。バネ部材は、内側スリーブに隣接するシェルに巻き付けられている。バネ部材は、内側スリーブの係合部材に係合する少なくとも１つの第１タブ端部を有する。内側スリーブをシェルに対して締結方向に回転させると、内側スリーブは、バネ部材の第１タブを押圧し、これにより、シェル回りでバネ部材を弛緩させ、内側スリーブが締結方向で回転することを可能とし、結合するコネクタ部品及びバネ部材の第１タブ端部を係合させる。第１タブ端部は、内側スリーブが解放方向に回転することを防止する。
【０００６】
また、本発明は、コネクタ部品を提供し、このコネクタ部品は、結合するコネクタ部品に係合するための接触端部を有するシェルを備える。連結部材は、シェルの接触端部近傍においてまたは接触端部においてシェルに支持されており、接触端部は、結合するコネクタ部品と結合するように構成されている。連結部材は、シェルに対して締結方向に回転可能であり、コネクタ部品を結合するコネクタ部品と結合し、連結部材は、締結方向とは反対の解放方向に回転可能である。連結部材は、シェルを囲み、シェルに回転式に連結された内側スリーブを有する。内側スリーブは、接触部分と係合部材とを有する。バネ部材は、内側スリーブに隣接してシェルに巻き付けられている。バネ部材は、第１タブ端部及び第２タブ端部を有する。外側スリーブは、内側スリーブ及びバネ部材を囲む。連結部材をシェルに対して締結方向に回転させると、内側スリーブの係合部材は、バネ部材の第１タブに係合し、これにより、バネ部材をシェル回りで弛緩させ、内側スリーブが締結方向に回転することを可能とし、接触部分を結合するコネクタ部品と係合させ、第１タブ端部が、内側スリーブが解放方向に回転することを防止する。外側スリーブをシェルに対して解放方向に回転させると、外側スリーブは、バネ部材の第２タブ端部に係合し、バネ部材を弛緩させ、これにより、内側スリーブが解放方向に回転することを可能とし、接触部分を結合するコネクタ部品から係合解除する。
【０００７】
本発明の他の目的、利点及び顕著な特徴は、以下の詳細な説明から明らかになり、この詳細な説明は、添付の図面と併用し、本発明の好ましい実施形態を開示する。
【０００８】
本発明及びそのさまざまな付随する利点をより完全に理解することは、添付の図面に関連して考慮すると、以下の詳細な説明を参照することによってこれらをより理解するにしたがって、すぐに得られる。
【図面の簡単な説明】
【０００９】
【図１】本発明の例示的な実施形態にかかる抗係合解除部材を示す斜視図である。
【図２】図１に示す抗係合解除部材のバネ部材を示す斜視図である。
【図３Ａ】図１に示す抗係合解除部材の内側スリーブを示す斜視図である。
【図３Ｂ】図１に示す抗係合解除部材の内側スリーブを示す斜視図である。
【図４】図１に示す抗係合解除部材を示す断面図である。
【図５Ａ】図１に示す抗係合解除部材を示す端面図である。
【図５Ｂ】図５Ａに示す抗係合解除部材を示す部分斜視図である。
【発明を実施するための形態】
【００１０】
図１、図２、図３Ａ、図３Ｂ、図４、図５Ａ及び図５Ｂを参照すると、本発明は、コネクタ部品１０の連結部材１００に関し、このコネクタ部品は、振動を受けても連結部材１００が弛緩することを防止する抗係合解除機能を有する。連結部材１００は、必要に応じて連結部材１００が係合解除することを可能とする手動解放機能をさらに提供する。
【００１１】
連結部材１００は、プラグまたはソケットのようなコネクタ部品に配設されている。特に、連結部材１００は、その接触端部１４にまたは接触端部近傍においてコネクタ部品の導電シェル１０の外面１２を囲む。コネクタ部品の接触端部１４は、結合するコネクタ部品（図示略）と結合するように構成されている。連結部材１００は、コネクタ部品をその結合する部品と結合するときに、締結方向（例えば、コネクタ部品をその接触端部１４から見たときに反時計回り）においてシェル１０に対して回転する。連結部材１００は、手動解放機能がコネクタ部品を結合解除するために係合されている場合に、締結方向とは反対の解放方向においてシェル１０に対して回転可能である。
【００１２】
本発明の例示的な実施形態にかかる連結部材１００は、全体として、内側スリーブ１１０、外側スリーブ１２０及びバネ部材２００を有する。図１及び図２に示すように、内側スリーブ１１０は、シェル１０を囲み、バネ部材２００は、シェル１０に巻き付けられており、外側スリーブ１２０は、内側スリーブ１１０及びバネ部材２００双方を覆う。バネ部材２００は、バネ本体２１０を有し、このバネ本体は、好ましくは、シェル１０の外径よりも若干小さい内径を有しており、そのため、バネ部材２００は、シェル１０の周囲にしっかりと嵌合する。バネ部材２００は、図２において最もよく示すように、バネ本体２１０の両端部にある第１及び第２タブ端部２２０及び２３０を有する。第１タブ端部２２０は、好ましくは、シェル１０の外面１２から外方に離間するように延在し、そのため、第１タブ端部２２０は、バネ本体２１０に対してほぼ垂直である。第２タブ端部２３０は、バネ本体２１０に対して、所定角度、好ましくは約４５°でシェル１０から起立している。第２タブ２３０の端面２３２は、当接面を形成する。バネ部材２００は、好ましくは、トーションバネである。
【００１３】
図３Ａ、図３Ｂ及び図４に示すように、内側スリーブ１１０は、シェル１０にあるバネ部材２００に隣接して位置する。内側スリーブ１１０は、全体として、接触部分３１０、保持肩部３１２及び延長部分３１４を有する。接触部分３１０は、シェル１０の接触端部１４の近傍にまたは接触端部１４にあり、結合するコネクタ部品と係合するためのネジ山３２０を有する。ネジ山３２０とシェル１０の外面１２との間の空間３２２は、結合するコネクタ部品の接触端部を受けるようにサイズ付けされている。保持肩部３１２は、シェル１０のうちリブ１６のような部分と当接し、これにより、内側スリーブ１１０の軸方向の運動を制限する。内側スリーブ１１０の延長部分３１４は、バネ部材２００の第１タブ端部２２０と係合するための係合部材３３０を有する。係合部材３３０は、好ましくは、第１タブ端部２２０を受けるようにサイズ付けされた延長部分３１４の外周部にあるノッチである。同様に、少なくとも１つのキー３４０は、内側スリーブ１１０の延長部分３１４の外周部から延在する。１を超えるキー３４０を設けてもよく、好ましくは、例えば図５Ａに示すように、２つのキーを約１８０°離間させて設ける。１以上のキー３４０は、バネ部材２００のバネ本体２１０を超えて延在し、外側スリーブ１２０に係合する。
【００１４】
図４、図５Ａ及び図５Ｂに示すように、外側スリーブ１２０は、内側スリーブ１１０及びバネ部材２００双方を覆う。外側スリーブ１２０の内面は、第１及び第２部分４１０及び４２０を有する。図４において最もよくわかるように、第１部分４１０は、内側スリーブ１１０を収容するように構成されており、第２部分４２０は、バネ部材２００を収容するように構成されている。保持リング４３０は、外側スリーブ１２０をシェル１０に連結させ、外側スリーブがシェル１０に対して軸方向で運動することを制限しつつ、外側スリーブ１２０がシェル１０に対して回転することを可能とする。外側スリーブ１２０の第２部分４２０の端部４２２においてまたは端部４２２近傍において、図５Ａ及び図５Ｂに示すように、内側肩部４４０は、外側スリーブ１２０の内面から延在する。内側肩部４４０は、バネ部材２００の第２タブ端部２３０を収容するようにサイズ付けされた凹領域４４２を画成し、第２タブ端部２３０の端面２３２に当接する当接壁部４４４を画成する。同様に、外側スリーブ１２０の端部４２２にはまたは端部４２２近傍には１以上のキースロット４５０があり、このキースロットは、内側スリーブ１１０の対応する１以上のキー３４０を受け、これにより、内側及び外側スリーブ１１０及び１２０をともに連結し、そのため、内側スリーブ１１０は、外側スリーブをシェル１０に対して回転させると、外側スリーブ１２０に対して回転する。
【００１５】
連結部材１００は、手動で解放するまで、コネクタ部品及びその結合するコネクタ部品を結合したままとすることを確実にする。コネクタ部品を連結するため、シェル１０の接触端部１４は、結合するコネクタ部品の対応する接触端部に係合する。そして、外側スリーブ１２０を内側スリーブ１１０と共に締結方向でシェル１０に対して回転させ、そのため、内側スリーブ１１０のネジ山３２０は、締結するまで、結合するコネクタ部品の対応するネジ山に係合する。そのようにする間、内側スリーブ１１０のノッチ３３０は、バネ部材２００の第１タブ端部２２０に係合し、内側スリーブ１１０が締結方向で回転するにしたがって、第１タブ端部に対して押圧する。バネ部材の第１タブ端部２２０に対して押圧することによって、バネ部材２００は、シェル１０回りで弛緩しまたは解かれ、そのため、バネ部材２００をシェル１０に対して移動、回転させることが可能となる。これにより、順に、内側スリーブ１１０が締結方向で回転し、結合するコネクタ部品に係合する。
【００１６】
コネクタ部品間の上述した係合を維持するため、振動のような状況の下であっても、バネ部材２００は、内側スリーブ１１０が反対の解放方向に回転することを防止する。特に、バネ部材２００の第１タブ端部２２０は、内側スリーブ１１０を解放方向に移動させるまたは回転させる場合に、停止部として機能する。すなわち、ノッチ３３０は、シェル１０回りでバネ部材２００を締結する第１タブ端部２２０を捕捉し、これにより、バネ部材２００をシェル１０に対して解放方向に移動させるまたは回転させることを防止する。第１タブ端部２２０をノッチ３３０内で受けるので、シェル１０回りにバネ部材２００を締結することにより、内側スリーブ１１０は、シェルに対して解放方向に回転することが防止される。
【００１７】
そして、コネクタ部品は、外側スリーブ１２０を手動で解放方向に回転させることによってのみ解放される。特に、外側スリーブ１２０を回転方向に回転させると、外側スリーブの内側肩部４４０における当接壁部４４４は、バネ部材２００の第２タブ端部２３０における端面２３２に当接してこの端面２３２に対して押圧する。第２タブ端部２３０に対して押圧することによって、バネ部材２００を弛緩させ、これにより、バネ部材２００をシェル１０に対して解いて回転させることを可能とする。これにより、順に、内側スリーブ１１０は、外側スリーブを解放方向に回転させると、スロット４５０内に受けられているキー３４０を介して、解放方向に回転することが可能となり、内側スリーブ１１０のネジ山３２０を結合するコネクタ部品から係合解除する。
【００１８】
特有の実施形態を選択して本発明を説明しているが、当業者には、添付の特許請求の範囲で規定されたような発明の範囲から逸脱することなく、本明細書においてさまざまな変更及び改変をなしてもよいことを理解する。例えば、内側スリーブ１１０は、結合するコネクタ部品に係合するために、ネジ山３２０を含む接触部分３１０に公知の係合部を有してもよい。
【符号の説明】
【００１９】
１０  コネクタ部品，導電シェル，シェル、１４  接合端部、１００  連結部材、１１０  内側スリーブ、１２０  外側スリーブ、２００  バネ部材、２２０  第１タブ端部、２３０  第２タブ端部，第２タブ、３１０  接合部分、３２０  ネジ山、３３０  係合部材，ノッチ、３４０  キー、４４０  内側肩部、４５０  キースロット，スロット
【図１】
2014199136.tif 000003
【図２】
2014199136.tif 000004
【図３Ａ】
2014199136.tif 000005
【図３Ｂ】
2014199136.tif 000006
【図４】
2014199136.tif 000007
【図５Ａ】
2014199136.tif 000008
【図５Ｂ】
2014199136.tif 000009
【外国語明細書】
2014199136000001.pdf